(57)【特許請求の範囲】
【請求項１】
圧縮画像情報を受けデコードして画像情報を出力する第１デコード部と、
前記圧縮画像情報を受けこれをデコードして画像情報を出力する第２デコード部と、
前記第１デコード部が出力する画像情報を格納する第１バッファと、
前記第２デコード部が出力する画像情報を格納する第２バッファと、
外部から入力される画像情報を格納する第３バッファと、
前記第１バッファおよび前記第２バッファに格納されている画像情報を選択する第１セレクタ部と、
前記第１バッファおよび前記第３バッファに格納されている画像情報を選択する第２セレクタ部と、
前記第１セレクタ部で選択されたバッファに格納されている画像情報を読み出し、画像処理を行って出力する第１出力部と、
前記第２セレクタ部で選択されたバッファに格納されている画像情報を読み出し、画像処理を行って出力する第２出力部と、
制御部とを具備し、
前記制御部は、
（ａ）前記第１デコード部がデコード動作中，
（ｂ）前記第２デコード部がデコード動作停止中，
（ｃ）前記第１セレクタ部が前記第１バッファを選択し、前記第１出力部が前記第１バッファに格納されている画像情報を処理して出力中，
（ｄ）前記第２セレクタ部が前記第１バッファを選択し、前記第２出力部が前記第１バッファに格納されている画像情報を処理して出力中，
の前記（ａ）および（ｂ）および（ｃ）および（ｄ）の状態において、
前記第２出力部が出力する画像情報を、前記第２セレクタ部を使って第１バッファに格納されている画像情報から第３バッファに格納されている画像情報に切り替える際に、
前記第２出力部が前記第１バッファに格納されている画像情報の読み出しを停止し、
次に、前記第２デコード部のデコード動作を開始し、
次に、前記第１セレクタ部使って、前記第１出力部が前記第１バッファに代えて、前記第２バッファに格納されている画像情報を処理して出力するように変更し、
次に、前記第１デコード部のデコード動作を停止し、
次に、前記第２セレクタ部を使って、前記第２出力部が前記第１バッファに代えて、前記第３バッファに格納されている画像情報を処理して出力するように変更し、
次に、前記第２出力部が前記第３バッファに格納されている画像情報の読み出しを開始するよう制御することを特徴とするデコード回路。
【請求項２】
圧縮画像情報を受けデコードして画像情報を出力する第１デコード部と、
前記圧縮画像情報を受けこれをデコードして画像情報を出力する第２デコード部と、
前記第１デコード部が出力する画像情報を格納する第１バッファと、
前記第２デコード部が出力する画像情報を格納する第２バッファと、
外部から入力される画像情報を格納する第３バッファと、
前記第１バッファおよび前記第２バッファに格納されている画像情報を選択する第１セレクタ部と、
前記第１バッファおよび前記第３バッファに格納されている画像情報を選択する第２セレクタ部と、
前記第１セレクタ部で選択されたバッファに格納されている画像情報を読み出し、画像処理を行って出力する第１出力部と、
前記第２セレクタ部で選択されたバッファに格納されている画像情報を読み出し、画像処理を行って出力する第２出力部と、
制御部とを具備し、
前記制御部は、
（ａ）前記第１デコード部がデコード動作停止中，
（ｂ）前記第２デコード部がデコード動作中，
（ｃ）前記第１セレクタ部が前記第２バッファを選択し、前記第１出力部が前記第２バッファに格納されている画像情報を処理して出力中，
（ｄ）前記第２セレクタ部が前記第３バッファを選択し、前記第２出力部が前記第３バッファに格納されている画像情報を処理して出力中，
の前記（ａ）および（ｂ）および（ｃ）および（ｄ）の状態において、
前記第２出力部が出力する画像情報を、前記第２セレクタ部を使って第３バッファに格納されている画像情報から、第１バッファに格納されている画像情報に切り替える際に、
前記第２出力部が前記第３バッファに格納されている画像情報の読み出しを停止し、
次に、前記第１デコード部のデコード動作を開始し、
次に、前記第１セレクタ部使って、前記第１出力部が前記第２バッファに代えて、前記第１バッファに格納されている画像情報を処理して出力するように変更し、
次に、前記第２デコード部のデコード動作を停止し、
次に、前記第２セレクタ部を使って、前記第２出力部が前記第３バッファに代えて、前記第１バッファに格納されている画像情報を処理して出力するように変更し、
次に、前記第２出力部が前記第１バッファに格納されている画像情報の読み出しを開始するよう制御することを特徴とするデコード回路。
【請求項３】
前記第１デコード部がデコード動作する場合と前記第２デコード部がデコード動作する場合を比較した場合、前記第２デコード部の方が前記第１デコード部より少ないメモリアクセスでデコード動作を行うことを特徴とする請求項１または２に記載のデコード回路。
【発明の詳細な説明】
【技術分野】
【０００１】
この発明は、画像情報のデコード回路に関し、表示用の出力と録画用の出力を持ち、表示用の出力にデコードした画像とキャプチャした画像を切り替えて出力できる機能と、２つのデコード動作が同時に可能な機能を有するデコード回路において、表示用の出力をデコード画像，キャプチャ画像に切り替える際に、２つのデコード動作を特定したデコード回路に関する。
【背景技術】
【０００２】
最近、デジタル技術が広範囲に普及してきており、これに伴い、動画像情報においても、例えば、ＭＰＥＧ（Moving Picture Expert Group）等の圧縮伸張技術が、デジタルテレビやＤＶＤ（Digital Versatile Disk）プレーヤ等の各種画像情報機器において利用されてきている。
【０００３】
一般に、デジタル放送受信可能なテレビジョン装置においては、ＣＲＴ（Casode Ray Tube），フラットパネル等への表示出力（表示用の出力）とＶＣＲ（Video Casette Recorder）等の録画機器向けに録画出力（録画用の出力）を持っている。録画出力は裏番組録画を目的として考えた場合に、ユーザーからのリモコン操作によって表示チャンネルの切換が発生する表示出力に関係なく、同一チャンネル映像を出力し続ける必要がある。つまり、ひとつの番組をデコードし、表示出力と録画出力に出力している状態から、表示出力をキャプチャ（アナログ放送，外部入力）に切り替えた場合に、キャプチャした画像は表示出力に出力しつつ、番組のデコード動作を続けて録画出力に出し続ける必要がある。
【０００４】
一方で、録画出力は一般にハイビジョン表示に対応したＣＲＴ，フラットパネル等への表示解像度よりも低いため、解像度の低い録画出力への出力だけを目的と考えた場合に、通常のデコード動作ではなく、メモリアクセス量を通常のデコード動作よりも減らした簡易デコード動作を行うことで、デコード回路のメモリアクセス量を低減することができる。
【０００５】
しかしながら、表示出力と録画出力に通常デコードを行った画像を出力している状態から表示出力をキャプチャ表示に切り替える際に、デコードモードを通常デコードから簡易デコードに切り替えようとして通常デコードを停止してから簡易デコードを開始すると、デコード画像が途切れて裏番組録画が途切れてしまうという問題がある。
【０００６】
従来技術として、スキップ再生の切換点前後のストリームのデコード動作を同時に行い、切換点前後でのデコード画像の切換をスムーズに行う技術が開示されている（例えば、特許文献１参照）。この特許文献１に記載の従来技術においては、スキップ再生の切換点前後で連続的な再生を行うためのデコード動作を特定しているに過ぎない。
【０００７】
このため特許文献１に記載の従来技術においては、表示出力をデコード画像からキャプチャ画像に切り替える際に、録画出力を途切れてしまうという問題がある。
【特許文献１】特開平１１−２２０６９５号公報
【発明の開示】
【発明が解決しようとする課題】
【０００８】
このように従来のデコード回路においては、表示出力をデコード画像からキャプチャ画像に切り替える際に、録画出力が途切れてしまうという問題があった。
この発明は、表示出力をデコード画像からキャプチャ画像に切り替える際に、録画出力を途切れさせることなく、デコードモードを通常デコードから簡易デコードに切り替えるデコード回路を提供することを目的とする。
【０００９】
また、この発明は、切り替わりシーケンスにおけるメモリアクセスのピークを抑えるデコード回路を提供することを目的とする。
【課題を解決するための手段】
【００１０】
上記の目的を達成するために、この発明においては、圧縮画像情報を受けデコードして画像情報を出力する第１デコード部と、前記圧縮画像情報を受けこれをデコードして画像情報を出力する第２デコード部と、前記第１デコード部が出力する画像情報を格納する第１バッファと、前記第２デコード部が出力する画像情報を格納する第２バッファと、外部から入力される画像情報を格納する第３バッファと、前記第１バッファおよび前記第２バッファに格納されている画像情報を選択する第１セレクタ部と、前記第１バッファおよび前記第３バッファに格納されている画像情報を選択する第２セレクタ部と、前記第１セレクタ部で選択されたバッファに格納されている画像情報を読み出し、画像処理を行って出力する第１出力部と、前記第２セレクタ部で選択されたバッファに格納されている画像情報を読み出し、画像処理を行って出力する第２出力部と、制御部とを具備し、前記制御部は、（ａ）前記第１デコード部がデコード動作中，（ｂ）前記第２デコード部がデコード動作停止中，（ｃ）前記第１セレクタ部が前記第１バッファを選択し、前記第１出力部が前記第１バッファに格納されている画像情報を処理して出力中，（ｄ）前記第２セレクタ部が前記第１バッファを選択し、前記第２出力部が前記第１バッファに格納されている画像情報を処理して出力中，の前記（ａ）および（ｂ）および（ｃ）および（ｄ）の状態において、前記第２出力部が出力する画像情報を、前記第２セレクタ部を使って第１バッファに格納されている画像情報から第３バッファに格納されている画像情報に切り替える際に、前記第２出力部が前記第１バッファに格納されている画像情報の読み出しを停止し、次に、前記第２デコード部のデコード動作を開始し、次に、前記第１セレクタ部使って、前記第１出力部が前記第１バッファに代えて、前記第２バッファに格納されている画像情報を処理して出力するように変更し、次に、前記第１デコード部のデコード動作を停止し、次に、前記第２セレクタ部を使って、前記第２出力部が前記第１バッファに代えて、前記第３バッファに格納されている画像情報を処理して出力するように変更し、次に、前記第２出力部が前記第３バッファに格納されている画像情報の読み出しを開始するよう制御することを特徴とするデコード回路を提供する。
【００１１】
また、上記の目的を達成するために、この発明においては、圧縮画像情報を受けデコードして画像情報を出力する第１デコード部と、前記圧縮画像情報を受けこれをデコードして画像情報を出力する第２デコード部と、前記第１デコード部が出力する画像情報を格納する第１バッファと、前記第２デコード部が出力する画像情報を格納する第２バッファと、外部から入力される画像情報を格納する第３バッファと、前記第１バッファおよび前記第２バッファに格納されている画像情報を選択する第１セレクタ部と、前記第１バッファおよび前記第３バッファに格納されている画像情報を選択する第２セレクタ部と、前記第１セレクタ部で選択されたバッファに格納されている画像情報を読み出し、画像処理を行って出力する第１出力部と、前記第２セレクタ部で選択されたバッファに格納されている画像情報を読み出し、画像処理を行って出力する第２出力部と、制御部とを具備し、前記制御部は、（ａ）前記第１デコード部がデコード動作停止中，（ｂ）前記第２デコード部がデコード動作中，（ｃ）前記第１セレクタ部が前記第２バッファを選択し、前記第１出力部が前記第２バッファに格納されている画像情報を処理して出力中，（ｄ）前記第２セレクタ部が前記第３バッファを選択し、前記第２出力部が前記第３バッファに格納されている画像情報を処理して出力中，の前記（ａ）および（ｂ）および（ｃ）および（ｄ）の状態において、前記第２出力部が出力する画像情報を、前記第２セレクタ部を使って第３バッファに格納されている画像情報から、第１バッファに格納されている画像情報に切り替える際に、前記第２出力部が前記第３バッファに格納されている画像情報の読み出しを停止し、次に、前記第１デコード部のデコード動作を開始し、次に、前記第１セレクタ部使って、前記第１出力部が前記第２バッファに代えて、前記第１バッファに格納されている画像情報を処理して出力するように変更し、次に、前記第２デコード部のデコード動作を停止し、次に、前記第２セレクタ部を使って、前記第２出力部が前記第３バッファに代えて、前記第１バッファに格納されている画像情報を処理して出力するように変更し、次に、前記第２出力部が前記第１バッファに格納されている画像情報の読み出しを開始するよう制御することを特徴とするデコード回路を提供する。
【００１２】
なお、装置に係る本発明は方法に係る発明としても成立する。
【発明の効果】
【００１３】
この発明によれば、表示出力をデコード画像からキャプチャ画像に切り替える際に、録画出力を途切れさせることなく、デコードモードを通常デコードから簡易デコードに切り替えるデコード回路を提供することができる。
【発明を実施するための最良の形態】
【００１４】
以下、図面を参照しながら本発明の実施の形態について説明する。
（第１の実施形態）
図１は、本発明の第１の実施形態に係るデコード回路の構成を示す図である。
図３は、同じくデコード回路の動作制御（表示出力をデコード画像→キャプチャ画像）の一例を示すブロック図である。
図５は、同じくデコード回路の動作制御（表示出力をキャプチャ画像→デコード画像）の一例を示すブロック図である。
図７は同じくデコード回路を含んだ放送受信機の構成の一例を示すブロック図である。
【００１５】
＜本発明の一実施例であるデコード回路＞
（構成）
本発明の一実施形態であるデコード回路の構成の一例は図１に示すように、外部のチューナ部等（図示しない入力端子であってもよい）から選択されたストリーム信号が入力されるデコーダ部１０１，１０２と、この出力が入力されるバッファ１０３，１０４と、外部入力部（図示しない入力部であってもよい）から選択された画像信号が入力されるバッファ１０５と、セレクト部１０６を介して、バッファ１０３，１０４に格納されている画像信号を読み出し、画像処理を施して録画出力（図示しない出力端子であってもよい）へ出力する出力部１０８と、バッファ１０３，１０５に格納されている画像信号を読み出し、画像処理を施して表示出力（図示しない出力端子，表示デバイスであってもよい）へ出力する出力部１０９から構成され、図示しない制御部によってそれぞれの構成要素が制御される。
【００１６】
なお、出力部１０８が行う画像処理の例としては、一般的にはスケーリング，画質改善（補正）等がある。
本発明の一実施形態であるデコード回路は、一例として上記した構成で実現することができるが、所望の機能を有するロジック回路等により構成されてもよいし、マイクロコンピュータと動作プログラムを格納した、ＲＡＭ，ＲＯＭ等によるマイコンシステムとして構成されても良い。
【００１７】
又、本発明の一実施形態であるデコード回路は、どのような装置に内蔵することも可能であるが、特に図７で示すような放送受信装置に適用することが好適であるが、これに限定されるものではない。
【００１８】
（本発明の一実施形態であるデコード回路が適用可能な放送受信装置）
次に、本発明の一実施形態であるデコード回路を適用することができる放送受信装置の構成の一例を図７の図面を用いて詳細に説明する。
図７の放送受信装置において制御部１３は全体の動作を制御すべく、図示しない制御信号線を介して各部に接続されており、リモコン１５を使ってのユーザーの指示がリモコン受光部１４を経由して制御部１３に送られ、制御部１３ユーザーの指示に従って各部を制御する。
【００１９】
デジタル放送受信時には、ＢＳ／ＣＳデジタルチューナ１，地上デジタルチューナ２から出力されるストリーム信号がＴＳセレクタ３を使って選択され、ＴＳ分離部４に供給される。ＴＳ分離部４では番組情報を番組情報格納部５に出力、（番組情報格納部５に出力された番組情報を用いて制御部１３が表示出力向け映像処理部２３を介してＧＵＩ等で番組情報をユーザーに提供し、ユーザーからのリモコン１５操作によって選択された番組の）音声ストリームをＡｕｄｉｏ復号部６に、映像ストリームをＶｉｄｅｏ復号部８に出力する。
【００２０】
また、Ａｕｄｉｏ復号部６で復号された音声信号は、Ａｕｄｉｏ処理部７へ出力され、Ｖｉｄｅｏ復号部８で復号された映像信号は、Ｖｉｄｅｏ処理部９のデコードバッファ２０へ出力される。
【００２１】
アナログ放送受信時，外部入力端子（ＨＤＭＩ端子，Ｄ端子，Ｓ端子，コンポジット端子など）からのキャプチャ時は、キャプチャセレクタ１２で選択されたキャプチャ信号（音声，映像）が、Ａｕｄｉｏ処理部７，Ｖｉｄｅｏ処理部９のキャプチャバッファ２１へ出力される。
【００２２】
Ａｕｄｉｏ処理部７に入力されたデコード音声およびキャプチャ音声は、制御部１３の制御によって音声処理された後、デコード音声は録画出力（音声），キャプチャ音声はスピーカー出力に出力される。
【００２３】
Ｖｉｄｅｏ処理部９に入力されたデコード映像（デコードバッファ２０），キャプチャ映像（キャプチャバッファ２１）は、制御部１３の制御によって、表示出力に関しては表示セレクタ２２で選択された画像が表示出力向け映像処理部２３で映像処理された後、ＣＲＴ／フラットパネル等へ出力される。また、録画出力に関してはデコード映像が録画出力向け映像処理部２４で映像処理された後、録画出力（映像）へ出力される。
【００２４】
（本発明の一実施形態に特有のデコード処理）
本発明の一実施形態であるデコード回路は、例えばデジタル放送等を受信して得られるストリームをデコードしてＴＶ画面等に表示させるだけでなく、キャプチャ入力した画像をＴＶ画面等に表示できるものである。
【００２５】
また、同時に２つのストリームのデコード処理ができるものであって、デコード方法としては、通常のデコード動作以外に、例えば水平方向の解像度を半分に落とす代わりに通常のデコード動作に比べてより少ないアクセス量でデコードできる簡易デコードモードを有するものである。
【００２６】
＜表示出力をデコード画像→キャプチャ画像に切り替える処理（録画出力はデコード画像を維持）＞
以下に本発明の一実施形態であるデコード回路において、録画出力にデコード画像出力を維持しつつ、表示出力をデコード画像→キャプチャ画像に切り替える処理の具体例を図３の遷移図及び図８のフローチャートを用いて説明する。
【００２７】
・本発明の一実施形態である遷移処理を用いない場合の不具合
以下に、図２で示される、本発明の一実施形態におけるデコード回路の比較回路を使い、図４の比較のための状態遷移図を用いて説明する。
図４の状態遷移図では、デコーダ１０１で通常デコード（デコードＡ）した画像がＢｕｆｆｅｒ（Ａ）１０３に出力され、Ｂｕｆｆｅｒ（Ａ）１０３に格納されているデコード画像を出力手段（α）１０８を用いて映像出力（ＶＣＲ）として出力、出力手段（β）１０９を用いて映像出力（表示）として出力している状態から、デコーダ１０１で簡易デコード（デコードＢ）した画像がＢｕｆｆｅｒ（Ａ）１０３に出力，キャプチャ入力されたキャプチャ画像がＢｕｆｆｅｒ（Ｃ）１０５に出力され、Ｂｕｆｆｅｒ（Ａ）１０３に格納されているデコード画像を出力手段（α）１０８を用いて映像出力（ＶＣＲ）として出力、Ｂｕｆｆｅｒ（Ｃ）１０５に格納されているキャプチャ画像を出力手段（β）１０９を用いて映像出力（表示）として出力している状態までの状態遷移を示している。
【００２８】
図２で示される比較回路では、デコード部を１系統しか持たないため、同時にデコードできるストリームは１つとなる。このため、デコード方法を通常デコード（Ａ）から簡易デコード（Ｂ）に切り替える際には、一度デコード動作を止める必要が生じるため、図４に示すように、映像出力（表示）をデコード（Ａ）からキャプチャ（Ｃ）に切り替える状態遷移において、映像出力（ＶＣＲ）も一旦、停止（Ｍｕｔｅ）させなくてはならない不具合が発生する。
【００２９】
・本発明の一実施形態である遷移処理による場合
上記した不具合を回避する遷移処理を、以下に図１で示される、本発明の一実施形態におけるデコード回路と、図３の状態遷移図及び図８のフローチャートを伴って説明する。
【００３０】
図３の状態遷移図では、デコーダ１０１で通常デコード（デコードＡ）した画像がＢｕｆｆｅｒ（Ａ）１０３に出力され、Ｂｕｆｆｅｒ（Ａ）１０３に格納されているデコード画像を出力手段（α）１０８を用いて映像出力（ＶＣＲ）として出力、出力手段（β）１０９を用いて映像出力（表示）として出力している状態から、デコーダ１０２で簡易デコード（デコードＢ）した画像がＢｕｆｆｅｒ（Ｂ）１０４に出力，キャプチャ入力されたキャプチャ画像がＢｕｆｆｅｒ（Ｃ）１０５に出力され、Ｂｕｆｆｅｒ（Ｂ）１０４に格納されているデコード画像を出力手段（α）１０８を用いて映像出力（ＶＣＲ）として出力、Ｂｕｆｆｅｒ（Ｃ）１０５に格納されているキャプチャ画像を出力手段（β）１０９を用いて映像出力（表示）として出力している状態までの状態遷移を示している。
【００３１】
最初に、デコーダ１０１で通常デコード（デコードＡ）した画像がＢｕｆｆｅｒ（Ａ）１０３に出力され、Ｂｕｆｆｅｒ（Ａ）１０３に格納されているデコード画像を出力手段（α）１０８を用いて映像出力（ＶＣＲ）として出力、出力手段（β）１０９を用いて映像出力（表示）として出力している状態から、ユーザーがリモコン１５を使って表示出力をデコード画像からキャプチャ画像（地上アナログ放送，外部入力等）に切り替える指示がされたどうかを判断する（ステップＳ８０）。このような指示があれば、出力手段（β）１０９のＢｕｆｆｅｒ（Ａ）１０３に格納されている画像の読み出しを停止し、表示出力を停止（Ｍｕｔｅ）する（ステップＳ８１）。
【００３２】
次に出力手段（β）１０９による画像の読み出しが停止することでメモリアクセスが減ったことを確認（ステップＳ８２）後、デコーダ１０１に供給している同じストリームをデコーダ１０２で簡易デコード（デコードＢ）し、Ｂｕｆｆｅｒ（Ｂ）１０４に出力を開始させる（ステップＳ８３）。
【００３３】
次にＢｕｆｆｅｒ（Ｂ）１０４に表示できる画像の格納が開始されたことを確認（ステップＳ８４）後、出力手段（α）１０８が読み出すデコード画像をＢｕｆｆｅｒ（Ａ）１０３に格納されている通常デコード（デコードＡ）されたものから、Ｂｕｆｆｅｒ（Ｂ）１０４に格納されている簡易デコード（デコードＢ）されたものになるようにセレクタ１０６を切り替え、その後デコーダ１０１での通常デコード（デコードＡ）を停止する（ステップＳ８５）。
【００３４】
次にデコーダ１０１での通常デコード（デコードＡ）が停止することでメモリアクセスが減ったことを確認（ステップＳ８６）後、Ｂｕｆｆｅｒ（Ｃ）１０５へのキャプチャ画像の取り込みを開始し、出力手段（β）１０９のＢｕｆｆｅｒ（Ｃ）１０５に格納されている画像の読み出しを開始させる（ステップＳ８７）。
【００３５】
次にＢｕｆｆｅｒ（Ｃ）１０５へのキャプチャ画像の取り込みが開始していることを確認（ステップＳ８８）後、出力手段（β）１０９による表示出力を開始（Ｍｕｔｅ解除）する（ステップＳ８９）。
【００３６】
メモリアクセス量の観点から見た場合において、
表示出力＋ＶＣＲ出力＋デコード（Ａ）  →  表示出力＋ＶＣＲ出力＋デコード（Ａ）＋キャプチャ（Ｃ）
となる状態遷移後のメモリアクセス量を、
→  表示出力＋ＶＣＲ出力＋デコード（Ｂ）＋キャプチャ（Ｃ）
とすることで、デコード回路が動作するために要求する最大メモリアクセス量を最大で、
デコード（Ａ）−デコード（Ｂ）
分だけ低減するのが目的であって、状態遷移中に、
表示出力＋ＶＣＲ出力＋デコード（Ａ）＋キャプチャ（Ｃ）
を超えてしまっては意味がない。
本発明の一実施形態である遷移処理（図３を参照）におけるメモリアクセス量及び、上記表示出力＋ＶＣＲ出力＋デコード（Ａ）＋キャプチャ（Ｃ）のメモリアクセス量に対するメモリアクセル量の差分は、以下の通りとなる。
【００３７】
表示出力＋ＶＣＲ出力＋デコード（Ａ）                    ：キャプチャ（Ｃ）分減
→  ＶＣＲ出力＋デコード（Ａ）＋デコード（Ｂ）            ：表示出力−デコード（Ｂ）＋キャプチャ（Ｃ）分減
→  ＶＣＲ出力＋デコード（Ｂ）＋キャプチャ（Ｃ）          ：表示出力＋デコード（Ａ）−デコード（Ｂ）分減
→  表示出力＋ＶＣＲ出力＋デコード（Ｂ）＋キャプチャ（Ｃ）：デコード（Ａ）−デコード（Ｂ）分減
【００３８】
ここで、表示出力＋キャプチャ（Ｃ）のメモリアクセス量  ＞  デコード（B）のメモリアクセス量である時に、遷移処理時のメモリアクセス量が、表示出力＋ＶＣＲ出力＋デコード（Ａ）＋キャプチャ（Ｃ）のメモリアクセス量を超えることが無くなるため、本発明の一実施形態である遷移処理によるメリットが発生することにより、メモリアクセスの最大ピークが低減できる結果、デコード回路に対するメモリバンド幅要求を下げることが可能となり、メモリバンド幅が高く維持することによる回路コストの増大を防ぐことが可能となる。
【００３９】
＜表示出力をキャプチャ画像→デコード画像に切り替える処理（録画出力はデコード画像を維持）＞
以下に本発明の一実施形態であるデコード回路において、録画出力にデコード画像出力を維持しつつ、表示出力をデコード画像→キャプチャ画像に切り替える処理の具体例（先に説明した状態遷移の逆の状態遷移方法）を図５の遷移図及び図９のフローチャートを用いて説明する。
【００４０】
・本発明の一実施形態である遷移処理を用いない場合の不具合
以下に、図２で示される、本発明の一実施形態におけるデコード回路の比較回路を使い、図６の比較のための状態遷移図を用いて説明する。
図６の状態遷移図では、デコーダ１０１で簡易デコード（デコードＢ）した画像がＢｕｆｆｅｒ（Ａ）１０３に出力，キャプチャ入力されたキャプチャ画像がＢｕｆｆｅｒ（Ｃ）１０５に出力され、Ｂｕｆｆｅｒ（Ａ）１０３に格納されているデコード画像を出力手段（α）１０８を用いて映像出力（ＶＣＲ）として出力、Ｂｕｆｆｅｒ（Ｃ）１０５に格納されているキャプチャ画像を出力手段（β）１０９を用いて映像出力（表示）として出力している状態から、デコーダ１０１で通常デコード（デコードＡ）した画像がＢｕｆｆｅｒ（Ａ）１０３に出力され、Ｂｕｆｆｅｒ（Ａ）１０３に格納されているデコード画像を出力手段（α）１０８を用いて映像出力（ＶＣＲ）として出力、出力手段（β）１０９を用いて映像出力（表示）として出力している状態までの状態遷移を示している。
【００４１】
図２で示される比較回路では、デコード部を１系統しか持たないため、同時にデコードできるストリームは１つとなる。このため、デコード方法を簡易デコード（Ｂ）から通常デコード（Ａ）に切り替える際には、一度デコード動作を止める必要が生じるため、図６に示すように、映像出力（表示）をキャプチャ（Ｃ）からデコード（Ａ）に切り替える状態遷移において、映像出力（ＶＣＲ）も一旦、停止（Ｍｕｔｅ）させなくてはならない不具合が発生する。
【００４２】
・本発明の一実施形態である遷移処理による場合
上記した不具合を回避する遷移処理を、以下に図１で示される、本発明の一実施形態におけるデコード回路と、図５の状態遷移図及び図９のフローチャートを伴って説明する。
【００４３】
図５の状態遷移図では、デコーダ１０２で簡易デコード（デコードＢ）した画像がＢｕｆｆｅｒ（Ｂ）１０４に出力，キャプチャ入力されたキャプチャ画像がＢｕｆｆｅｒ（Ｃ）１０５に出力され、Ｂｕｆｆｅｒ（Ｂ）１０４に格納されているデコード画像を出力手段（α）１０８を用いて映像出力（ＶＣＲ）として出力、Ｂｕｆｆｅｒ（Ｃ）１０５に格納されているキャプチャ画像を出力手段（β）１０９を用いて映像出力（表示）として出力している状態から、デコーダ１０１で通常デコード（デコードＡ）した画像がＢｕｆｆｅｒ（Ａ）１０３に出力され、Ｂｕｆｆｅｒ（Ａ）１０３に格納されているデコード画像を出力手段（α）１０８を用いて映像出力（ＶＣＲ）として出力、出力手段（β）１０９を用いて映像出力（表示）として出力している状態までの状態遷移を示している。
【００４４】
最初に、デコーダ１０２で簡易デコード（デコードＢ）した画像がＢｕｆｆｅｒ（Ｂ）１０４に出力，キャプチャ入力されたキャプチャ画像がＢｕｆｆｅｒ（Ｃ）１０５に出力され、Ｂｕｆｆｅｒ（Ｂ）１０４に格納されているデコード画像を出力手段（α）１０８を用いて映像出力（ＶＣＲ）として出力、Ｂｕｆｆｅｒ（Ｃ）１０５に格納されているキャプチャ画像を出力手段（β）１０９を用いて映像出力（表示）として出力している状態から、ユーザーがリモコン１５を使って表示出力をキャプチャ画像（地上アナログ放送，外部入力等）からデコード画像に切り替える指示がされたどうかを判断する（ステップＳ９０）。このような指示があれば、出力手段（β）１０９のＢｕｆｆｅｒ（Ｂ）１０４に格納されている画像の読み出しを停止し、表示出力を停止（Ｍｕｔｅ）する（ステップＳ９１）。
【００４５】
次に出力手段（β）１０９による画像の読み出しが停止したことを確認（ステップＳ９２）後、Ｂｕｆｆｅｒ（Ｃ）１０５へのキャプチャ画像の取り込みを停止する（ステップＳ９３）。
【００４６】
次にＢｕｆｆｅｒ（Ｃ）１０５へのキャプチャ画像の取り込み停止することでメモリアクセスが減ったことを確認（ステップＳ９４）後、デコーダ１０２に供給している同じストリームをデコーダ１０１で通常デコード（デコードＡ）し、Ｂｕｆｆｅｒ（Ａ）１０３に出力を開始させる（ステップＳ９５）。
【００４７】
次にＢｕｆｆｅｒ（Ａ）１０３に表示できる画像の格納が開始されたことを確認（ステップＳ９６）後、出力手段（α）１０８が読み出すデコード画像をＢｕｆｆｅｒ（Ｂ）１０４に格納されている簡易デコード（デコードＢ）されたものから、Ｂｕｆｆｅｒ（Ａ）１０３に格納されている通常デコード（デコードＡ）されたものになるように、セレクタ１０６を切り替え、その後でデコーダ１０２での簡易デコード（デコードＢ）を停止する（ステップＳ９７）。
【００４８】
次にデコーダ１０２での簡易デコード（デコードＢ）が停止することでメモリアクセスが減ったことを確認（ステップＳ９８）後、出力手段（β）１０９による表示出力を開始（Ｍｕｔｅ解除）する（ステップＳ９９）。
【００４９】
以上説明したように遷移処理を行い、
表示出力＋キャプチャ（Ｃ）のメモリアクセス量  ＞  デコード（B）
のメモリアクセス量である時に、本発明の一実施形態である遷移処理によるメリットが発生することにより、メモリアクセスの最大ピークが低減できる結果、デコード回路に対するメモリバンド幅要求を下げることが可能となり、メモリバンド幅が高く維持することによる回路コストの増大を防ぐことが可能となる。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の一実施形態に係るデコード回路の構成の一例を示すブロック図。
【図２】デコード回路の比較となる例を示すブロック図。
【図３】デコード回路の動作制御（表示出力をデコード画像→キャプチャ画像）の一例を示すブロック図。
【図４】デコード回路の比較となる例の動作制御（表示出力をデコード画像→キャプチャ画像）の一例を示すブロック図。
【図５】デコード回路の動作制御（表示出力をキャプチャ画像→デコード画像）の一例を示すブロック図。
【図６】デコード回路の比較となる例の動作制御（表示出力をキャプチャ画像→デコード画像）の一例を示すブロック図。
【図７】デコード回路を含んだ放送受信機の構成の一例を示すブロック図。
【図８】デコード回路の動作制御（表示出力をデコード画像→キャプチャ画像）の一例を説明するフローチャート。
【図９】デコード回路の動作制御（表示出力をキャプチャ画像→デコード画像）の一例を説明するフローチャート。
【符号の説明】
【００５２】
１…ＢＳ／ＣＡデジタルチューナ、２…地上デジタルチューナ、３…ＴＳセレクタ、４…ＴＳ分離部、５…番組情報格納部、６…Ａｕｄｉｏ復号部、７…Ａｕｄｉｏ処理部、８…Ｖｉｄｅｏ復号部、９…Ｖｉｄｅｏ処理部、１０…地上アナログチューナ、１１…外部入力、１２…キャプチャセレクタ、１３…制御部、２０…デコードバッファ、２１…キャプチャバッファ、２２…表示出力セレクタ、２３…表示出力向け映像処理部、２４…録画出力向け映像処理部、１０１，１０２…デコード部、１０３，１０４，１０５…バッファ、１０６，１０７…セレクタ部、１０８，１０９…出力部。
【図１】
0004703422.tif 000002
【図２】
0004703422.tif 000003
【図３】
0004703422.tif 000004
【図４】
0004703422.tif 000005
【図５】
0004703422.tif 000006
【図６】
0004703422.tif 000007
【図７】
0004703422.tif 000008
【図８】
0004703422.tif 000009
【図９】
0004703422.tif 000010